(57)【要約】【課題】本体部からキャップ部が外れることを防止できる医療用容器を提供する。【解決手段】医療用容器１は、本体部３と、キャップ部７Ａ，７Ｂとを備え、本体部３及びキャップ部７Ａ，７Ｂには、キャップ部７Ａ，７Ｂが本体部３に螺着された所定の位置でキャップ部７Ａ，７Ｂが外れる方向への回転を互いに規制する係止部１９と係止部３６とがそれぞれ設けられており、本体部３には、ねじ山１４と交差する所定の方向に沿って当該ねじ山１４を分断する水抜き部１５ａ，１５ｂが設けられており、水抜き部１５ａ，１５ｂにねじ山１４の高さ方向に突出する突起部１７ａ，１７ｂが設けられている。【選択図】図２
2014108280.tif 000002
【特許請求の範囲】
【請求項１】
医療用容器であって、
外周面に第１ねじ部が形成された筒状の本体部と、
内周面に前記第１ねじ部と螺合する第２ねじ部が形成され、前記本体部に螺着するキャップ部とを備え、
前記本体部及び前記キャップ部には、前記キャップ部が前記本体部に螺着された所定の位置で前記キャップ部が外れる方向への回転を互いに規制する第１及び第２係止部がそれぞれ設けられており、
前記本体部及び前記キャップ部の少なくとも一方には、前記第１ねじ部及び前記第２ねじ部の少なくとも一方のねじ山と交差する所定の方向に沿って当該ねじ山を分断する領域が設けられており、
前記領域には、前記ねじ山の高さ方向に突出する突起部が設けられていることを特徴とする医療用容器。
【請求項２】
前記領域は、前記本体部と前記キャップ部とが螺着された状態で前記本体部の軸方向から見たときに、互いに対向する位置に一対設けられており、
各前記領域に前記突起部がそれぞれ設けられていることを特徴とする請求項１記載の医療用容器。
【請求項３】
前記突起部は、前記第１ねじ部及び前記第２ねじ部のねじ山の高さ以上の高さを有していることを特徴とする請求項１又は２記載の医療用容器。
【請求項４】
前記第１係止部及び第２係止部は、前記本体部と前記キャップ部とが螺着された状態で前記本体部の軸方向から見たときに、一対の前記突起部の対向方向に交差する位置に設けられていることを特徴とする請求項２又は３記載の医療用容器。
【請求項５】
前記領域は、前記本体部に設けられていることを特徴とする請求項１〜３のいずれか一項記載の医療用容器。
【請求項６】
前記突起部には、前記キャップ部が回転されて当該突起部に対して第２ねじ部が進入する側の一端部に傾斜面が形成されており、
前記傾斜面は、前記キャップ部が前記本体部に螺着されるときに回転される方向に向かって上り勾配となる面であることを特徴とする請求項５記載の医療用容器。
【請求項７】
前記領域は、前記キャップ部に設けられていることを特徴とする請求項１〜３のいずれか一項記載の医療用容器。
【請求項８】
前記突起部には、前記キャップ部が回転されて当該突起部に対して第１ねじ部が進入する側の一端部に傾斜面が形成されており、
前記傾斜面は、前記キャップ部が前記本体部に螺着されるときに回転される方向に向かって下り勾配となる面であることを特徴とする請求項７記載の医療用容器。
【請求項９】
前記第１及び第２係止部は、複数の山形部をそれぞれ有し、ラチェット機構を構成しており、
前記第１係止部及び前記第２係止部のうちの一方の山形部の数は３〜１０個であり、他方の山形部の数は１０〜４０個であり、
前記第１係止部と前記第２係止部との前記山形部の数の比率は０．２〜０．５であることを特徴とする請求項１〜８のいずれか一項記載の医療用容器。
【発明の詳細な説明】
【技術分野】
【０００１】
本発明は、血漿吸着療法で使用される血漿吸着器などに用いられる医療用容器に関する。
【背景技術】
【０００２】
血漿交換療法の一つとして、血漿吸着法が知られている。血漿吸着法は、体外に取り出した血液を血漿分離膜により血球成分と血漿成分とに分離した後、分離された血漿を吸着器に通し、選択的に病因物質を除去する治療法である。この血漿吸着法は、血漿分離器と血漿吸着器とを含む血漿吸着回路により実施される。血漿吸着器は、本体部、この本体部に螺着されるキャップ部及び本体部に取り付けられるノズル部からなる容器と、容器に収容される吸着剤とから構成されている（例えば、特許文献１参照）。
【先行技術文献】
【特許文献】
【０００３】
【特許文献１】特開昭５６−１３９７５５号公報
【発明の概要】
【発明が解決しようとする課題】
【０００４】
医療用の機器は、製造された後、滅菌処理が実施される。上記の吸着器の容器を滅菌する方法としては、高圧蒸気滅菌処理がある。高圧蒸気滅菌処理では、本体部とキャップ部とを螺着した状態の容器を滅菌袋に入れて、この滅菌袋に高温の蒸気を当てて容器を滅菌する。
【０００５】
ここで、容器は、製造性の観点から、ポリプロピレン樹脂等の材料で形成されている。このような樹脂から容器が形成されている場合には、高圧蒸気滅菌処理の際、高温の蒸気により容器が変形し、変形した状態で弾性力を失うことがある。これにより、本体部とキャップ部との係合性が低くなり、キャップ部が緩むといった問題が生じるおそれがある。血漿吸着器等に用いられる医療用容器は、その安全性及び健全性の観点から、本体部からキャップ部が外れることを防止する必要がある。
【０００６】
本発明は、上記課題を解決するためになされたものであり、本体部からキャップ部が外れることを防止できる医療用容器を提供することを目的とする。
【課題を解決するための手段】
【０００７】
本発明に係る医療用容器は、医療用容器であって、外周面に第１ねじ部が形成された筒状の本体部と、内周面に第１ねじ部と螺合する第２ねじ部が形成され、本体部に螺着するキャップ部とを備え、本体部及びキャップ部には、キャップ部が本体部に螺着された所定の位置で前記キャップ部が外れる方向への回転を互いに規制する第１及び第２係止部がそれぞれ設けられており、本体部及びキャップ部の少なくとも一方には、第１ねじ部及び第２ねじ部の少なくとも一方のねじ山と交差する所定の方向に沿って当該ねじ山を分断する領域が設けられており、領域には、ねじ山の高さ方向に突出する突起部が設けられていることを特徴とする。
【０００８】
この医療用容器では、本体部及びキャップ部には、キャップ部が本体部に螺着された所定の位置でキャップ部が外れる方向への回転を互いに規制する第１及び第２係止部がそれぞれ設けられている。これにより、医療用容器では、キャップ部が本体部に螺着された状態で高圧蒸気滅菌処理が実施された場合でも、第１及び第２係止部によりキャップ部の回転が規制されるため、キャップ部が本体部から外れることを防止できる。また、医療用容器では、蒸気滅菌処理の際、蒸気が結露してねじ部に水が入り込むことがあるため、その水を抜く必要がある。そこで、医療用容器では、本体部及びキャップ部の少なくとも一方には、第１ねじ部及び第２ねじ部の少なくとも一方のねじ山と交差する所定の方向に沿って当該ねじ山を分断する領域を設けている。これにより、医療用容器では、上記の領域を介してねじ部に入り込んだ水を抜くことができる。
【０００９】
更に、医療用容器では、上記の領域に突起部を設けている。ねじ山を分断する領域が設けられている構成では、蒸気滅菌の際、キャップ部に熱が加えられると、ねじ山が形成されていない上記領域においてキャップ部が内側に撓んでキャップ部が変形することがある。この変形により、第１及び第２係止部は、その係止状態が解除されることがある。本発明の医療用容器では、ねじ山が形成されない上記の領域に突起を設けているため、キャップ部の変形を抑制できる。したがって、第１及び第２係止部の係止状態が維持されるため、キャップ部が緩むことを防止できる。以上のように、本発明の医療用容器では、本体部からキャップ部が外れることを防止できる。
【００１０】
一実施形態においては、上記領域は、本体部とキャップ部とが螺着された状態で本体部の軸方向から見たときに、互いに対向する位置に一対設けられており、各領域に突起部がそれぞれ設けられている。このように、医療用容器では、ねじ山が形成されない領域を互いに対向する位置に一対設けることにより、水抜きをより良好に行うことができる。また、各領域に突起部を設けているため、キャップ部の変形を抑制できる。
【００１１】
一実施形態においては、突起部は、第１ねじ部及び第２ねじ部のねじ山の高さ以上の高さを有している。このような構成により、医療用容器では、突起部に第１ねじ部又は第２ねじ部が当接するため、キャップ部の変形をより好適に防止できる。
【００１２】
一実施形態においては、第１係止部及び第２係止部は、本体部とキャップ部とが螺着された状態で本体部の軸方向から見たときに、一対の突起部の対向方向に交差する位置に設けられている。このような構成により、医療用容器では、突起部により突起部の対向方向でのキャップ部の変形が防止されているため、その対向方向に交差する方向にキャップ部が伸びることも防止されているので、第１及び第２係止部の係止状態が解除されることをより良好に防止できる。
【００１３】
一実施形態においては、領域は、本体部に設けられている。この構成において、一実施形態では、突起部は、キャップ部が回転されて当該突起部に対して第２ねじ部が進入する側の一端部に傾斜面が形成されており、傾斜面は、キャップ部が本体部に螺着されるときに回転される方向に向かって上り勾配となる面である。このような構成により、医療用容器では、キャップ部を螺着するときに、第２ねじ部が突起部に引っ掛かることを回避できる。したがって、医療用容器では、上記領域に突起部を設けている構成であっても、キャップ部を本体部にスムーズに取り付けることができる。
【００１４】
一実施形態においては、領域は、キャップ部に設けられている。この構成において、一実施形態では、突起部には、キャップ部が回転されて当該突起部に対して第１ねじ部が進入する側の一端部に傾斜面が形成されており、傾斜面は、キャップ部が本体部に螺着されるときに回転される方向に向かって下り勾配となる面である。このような構成により、医療用容器では、キャップ部を螺着するときに、第１ねじ部が突起部に引っ掛かることを回避できる。したがって、医療用容器では、上記領域に突起部を設けている構成であっても、キャップ部を本体部にスムーズに取り付けることができる。
【００１５】
一実施形態においては、第１及び第２係止部は、複数の山形部をそれぞれ有し、ラチェット機構を構成しており、第１係止部及び第２係止部のうちの一方の山形部の数は３〜１０個であり、他方の山形部の数は１０〜４０個であり、第１係止部と第２係止部との山形部の数の比率は０．２〜０．５である。
【発明の効果】
【００１６】
本発明によれば、本体部からキャップ部が外れることを防止できる。
【図面の簡単な説明】
【００１７】
【図１】図１は、第１実施形態に係る医療用容器を示す平面図である。
【図２】図２は、本体部及びノズル部を示す斜視図である。
【図３】図３は、本体部及びノズル部を示す平面図である。
【図４】図４は、本体部及びノズル部を軸方向から見た図である。
【図５】図５は、図３のＶ−Ｖ線断面図である。
【図６】図６（ａ）は、図３のＶＩａ−ＶＩａ線断面であり、図６（ｂ）は図３のＶＩｂ−ＶＩｂ線断面図である。
【図７】図７は、キャップ部を示す斜視図である。
【図８】図８は、キャップ部を示す平面図である。
【図９】図９は、図８におけるＩＸ−ＩＸ線断面図である。
【図１０】図１０は、第２実施形態に係る医療用容器の本体部及びノズル部を示す斜視図である。
【図１１】図１１は、本体部及びノズル部を示す正面図である。
【図１２】図１２は、本体部及びノズル部を軸方向から見た図である。
【図１３】図１３は、図１１のＸＩＩＩ−ＸＩＩＩ線断面図である。
【図１４】図１４（ａ）は、図１１のＸＩＶａ−ＸＩＶａ線断面であり、図１４（ｂ）は、図１１のＸＩＶｂ−ＸＩＶｂ線断面図である。
【図１５】図１５は、キャップ部を示す斜視図である。
【図１６】図１６は、キャップ部を示す平面図である。
【図１７】図１７（ａ）は、図１６におけるＸＶＩＩａ−ＸＶＩＩａ線断面図であり、図１７（ｂ）は、図１６におけるＸＶＩＩｂ−ＸＶＩＩｂ線断面図である。
【発明を実施するための形態】
【００１８】
以下、添付図面を参照して、本発明の好適な実施形態について詳細に説明する。なお、図面の説明において同一又は相当要素には同一符号を付し、重複する説明は省略する。
【００１９】
以下、添付図面を参照して、本発明の好適な実施形態について詳細に説明する。なお、図面の説明において同一又は相当要素には同一符号を付し、重複する説明は省略する。
【００２０】
［第１実施形態］
図１は、第１実施形態に係る医療用容器を示す斜視図である。図１に示す医療用容器１は、例えば血漿吸着回路を構成する血漿吸着器に用いられる容器である。血漿吸着器は、医療用容器１内に、例えば樹脂ビーズからなる吸着剤が収容されて構成されている。
【００２１】
医療用容器１は、本体部３と、ノズル部５Ａ，５Ｂと、キャップ部７Ａ，７Ｂとを備えている。図２は、本体部及びノズル部を示す斜視図である。図３は、本体部及びノズル部を示す平面図である。図４は、本体部及びノズル部を軸方向から見た図である。図５は、図３のＶ−Ｖ線断面図である。図６（ａ）は、図３のＶＩａ−ＶＩａ線断面であり、図６（ｂ）は、ＶＩｂ−ＶＩｂ線断面図である。図７は、キャップ部を示す斜視図である。図８は、キャップ部を示す平面図である。図９は、図８におけるＩＸ−ＩＸ線断面図である。
【００２２】
本体部３について、図１〜図６を参照して説明する。本体部３は、筒状の中空部材である。本体部３は、例えばポリプロピレン樹脂等の材料により形成されている。本体部３は、筒部９と、接続部１１ａ，１１ｂとから構成されている。筒部９と接続部１１ａ，１１ｂとは、一体に形成されている。図６に示すように、筒部９は、断面が略円形形状を呈している。本実施形態では、筒部９は、一端側から他端側に向かって（図３では、左端から右端（下端から上端）に向かって）先細りとなるテーパ形状を成している。
【００２３】
接続部１１ａ，１１ｂは、本体部３の両端部に設けられており、筒部９を挟んで配置されている。接続部１１ａ，１１ｂは、キャップ部７Ａ，７Ｂが螺着される部分である。接続部１１ａと接続部１１ｂとは、同様の構成を有している。本実施形態では、接続部１１ａを一例に、その構成を具体的に説明する。
【００２４】
接続部１１ａは、筒部９の外径よりもその外径が大きく形成されて、筒状を成している。接続部１１ａは、雄ねじ部（第１ねじ部）１３と、水抜き部１５ａ，１５ｂ（領域）と、突起部１７ａ，１７ｂと、係止部（第１係止部）１９とを有している。雄ねじ部１３は、接続部１１ａの外周面１１ｓに形成されている。雄ねじ部１３には、螺旋状のねじ山１４が形成されている。
【００２５】
水抜き部１５ａ，１５ｂは、雄ねじ部１３のねじ山１４を分断するように、本体部３の軸方向（ねじ山１４と交差する所定の方向）に沿って設けられている。水抜き部１５ａ，１５ｂは、接続部１１ａにおいて、本体部３を軸方向から見たときに（図４（ａ），（ｂ））、互いに対向する位置に一対設けられている。この水抜き部１５ａ，１５ｂにより、雄ねじ部１３は、接続部１１ａにおいて、水抜き部１５ａ，１５ｂを間に挟んで２つの部分に設けられている。水抜き部１５ａ，１５ｂは、接続部１１ａの外周面１１ｓの一部である。すなわち、水抜き部１５ａ，１５ｂは、雄ねじ部１３のねじ山１４が形成されていない部分である。水抜き部１５ａ，１５ｂの幅（接続部１１ａの周方向における雄ねじ部１３の間の距離）は、例えば５〜２５ｍｍ程度とされている。
【００２６】
突起部１７ａ，１７ｂは、水抜き部１５ａ，１５ｂにそれぞれ配置されている。突起部１７ａ，１７ｂは、水抜き部１５ａ，１５ｂからねじ山１４の高さ方向（本体部３の径方向）に突出している。突起部１７ａ，１７ｂは、水抜き部１５ａ，１５ｂにおいて、雄ねじ部１３の端部から所定の間隔をあけて、水抜き部１５ａ，１５ｂの略中央部に配置されている。突起部１７ａ，１７ｂは、本体部３の径方向から見て、略矩形形状を呈している。突起部１７ａ，１７ｂの高さは、雄ねじ部１３のねじ山１４の高さ以上とされている。
【００２７】
突起部１７ａは、傾斜面１８を有している。傾斜面１８は、突起部１７ａにおいて、接続部１１ａの周方向での一端部（角部）に、本体部３の軸方向に沿って形成されている。具体的には、傾斜面１８は、キャップ部７Ａ，７Ｂが螺着されるときに、キャップ部７Ａ，７Ｂが回転されて突起部１７ａ，１７ｂに対して雌ねじ部３４（後述）が進入する側の一端部に形成されている。傾斜面１８は、キャップ部７Ａ，７Ｂが接続部１１ａ，１１ｂに螺着されるときに回転される方向に向かって上り勾配となる面である。突起部１７ｂは、突起部１７ａと同様に、傾斜面１８を有している。
【００２８】
係止部１９は、キャップ部７Ａ，７Ｂに設けられた係止部３６（後述）と係合する部分である。係止部１９は、雄ねじ部１３の終端側（筒部９側）に、ねじ山１４に沿って配置されている。係止部１９は、本体部３の軸方向から見て、突起部１７ａ，１７ｂ（水抜き部１５ａ，１５ｂ）の対向方向に交差する位置に配置されている。係止部１９とキャップ部７Ａ，７Ｂの係止部３６は、ラチェット機構を構成している。係止部１９は、略直角三角形形状を呈する複数（３〜１０個）の山形部２０により構成されている。山形部２０は、図６に示すように、傾斜面２０ａと、平坦面２０ｂとを有している。傾斜面２０ａは、キャップ部７Ａ，７Ｂが接続部１１ａ，１１ｂに螺着されるときに回転される方向に向かって上り勾配となる面である。平坦面２０ｂは、接続部１１ａの外周面１１ｓに対して略直角を成している。
【００２９】
ノズル部５Ａ，５Ｂは、血漿吸着回路等の接続部と接続される部分である。ノズル部５Ａ，５Ｂは、本体部３の両端部に設けられている。ノズル部５Ａとノズル部５Ｂとは、同様の構成を有している。本実施形態では、ノズル部５Ａを一例に、その構成を具体的に説明する。ノズル部５Ａは、蓋部２２と、ノズル本体２４と、外筒部２６とにより構成されている。
【００３０】
蓋部２２は、本体部３の開口部Ｋを塞ぐと共に、本体部３（接続部１１ａ，１１ｂ）に挿入される。蓋部２２は、平面視で略円形形状を呈しており、図５に示すように、ＯリングＲを介して本体部３に挿入される。ノズル部５Ａの蓋部２２と本体部３とは、吸着剤が収容される空間Ｓを画成している。蓋部２２の周縁部には、フランジ部２３が設けられている。フランジ部２３は、本体部３（接続部１１ａ）の端面３ａと当接する。
【００３１】
ノズル本体２４は、蓋部２２の中央部に位置して円筒形状をなしている。外筒部２６は、円筒形状をなしており、ノズル本体２４の外周部を取り囲むように、ノズル本体２４の外側にノズル本体２４と所定の間隔を有して配置されている。
【００３２】
外筒部２６の内周面２６ａには、ルアー部２８が設けられている。ルアー部２８は、螺旋状に形成されている。ルアー部２８は、血液回路等の接続部に設けられた雄ねじと螺合する雌ねじである。ノズル部５Ａと血液回路等との接続は、ノズル本体２４の外表面２４ａと接続部の内表面との摩擦抵抗、及び、ルアー部２８と接続部の外周面に形成されたねじ部とが螺着されることにより行われる。
【００３３】
続いて、図７〜図９を参照して、キャップ部７Ａ，７Ｂについて説明する。キャップ部７Ａ，７Ｂは、例えばポリプロピレン樹脂等の材料により形成されている。キャップ部７Ａ，７Ｂは、本体部３に螺着され、ノズル部５Ａ，５Ｂを本体部３とで挟持してノズル部５Ａ，５Ｂを固定する。キャップ部７Ａとキャップ部７Ｂとは、同様の構成を有している。本実施形態では、キャップ部７Ａを一例に、その構成を具体的に説明する。
【００３４】
キャップ部７Ａは、周部３０と、張出部３２とを有している。周部３０は、断面が略円形形状を呈する筒状を成している。周部３０の外周面には、周方向に所定の間隔をあけてグリップ部３０ａが設けられている。グリップ部３０ａは、キャップ部７Ａを本体部３に螺着するときに、滑り止めとして機能する。周部３０の内周面３０ｓには、雌ねじ部（第２ねじ部）３４と、係止部（第２係止部）３６とが形成されている。雌ねじ部３４には、螺旋状のねじ山３５が形成されている。
【００３５】
係止部３６は、本体部３の接続部１１ａ，１１ｂに設けられた係止部１９（山形部２０）と係合する部分である。係止部３６は、雌ねじ部３４の始端側に、ねじ山３５に沿って配置されている。係止部３６は、本体部３にキャップ部７Ａ，７Ｂが螺着された状態において、係止部１９に対応する位置（一対の突起部１７ａ，１７ｂの対向方向に交差する位置）に設けられている。係止部３６は、略直角三角形形状を呈する複数（１０〜４０個）の山形部３７により構成されている。山形部３７は、図８に示すように、傾斜面３７ａと、平坦面３７ｂとを有している。傾斜面３７ａは、キャップ部７Ａ，７Ｂが接続部１１ａ，１１ｂに螺着されるときに回転する方向に向かって下り勾配となる面である。平坦面３７ｂは、周部３０の内周面３０ｓに対して略垂直を成している。係止部１９の山形部２０と係止部３６の山形部３７との数の比率（山形部２０／山形部３７）は、０．２〜０．５（１／５〜１／２）である。
【００３６】
医療用容器１では、本体部３（接続部１１ａ，１１ｂ）とキャップ部７Ａ，７Ｂとが螺着されるとき、キャップ部７Ａ，７Ｂが所定の位置まで回転されると、接続部１１ａ，１１ｂの係止部１９とキャップ部７Ａ，７Ｂの係止部３６とが噛み合い係合する。具体的には、医療用容器１では、キャップ部７Ａ，７Ｂの係止部３６における山形部３７の傾斜面３７ａが、接続部１１ａ，１１ｂの係止部１９における山形部２０の傾斜面２０ａを乗り越える。これにより、係止部１９と係止部３６とは、平坦面２０ｂと平坦面３７ｂとが係合する。これにより、キャップ部７Ａ，７Ｂは、外れる方向への回転が規制される。
【００３７】
張出部３２は、周部３０の上部から内側に張り出している。張出部３２は、開口部３８を画成している。開口部３８は、ノズル部５Ａ，５Ｂのノズル本体２４及び外筒部２６を挿通する。張出部３２は、キャップ部７Ａ，７Ｂが接続部１１ａ，１１ｂに螺着されると、ノズル部５Ａ，５Ｂのフランジ部２３を本体部３の端面３ａとの間で挟持して固定し、ノズル部５Ａ，５Ｂが本体部３から外れることを防止する。
【００３８】
以上説明したように、本実施形態の医療用容器１では、本体部３及びキャップ部７Ａ，７Ｂには、キャップ部７Ａ，７Ｂが本体部３に螺着された所定の位置でキャップ部７Ａ，７Ｂが外れる方向への回転を互いに規制する係止部１９及び係止部３６がそれぞれ設けられている。これにより、医療用容器１では、キャップ部７Ａ，７Ｂが本体部３に螺着された状態で高圧蒸気滅菌処理が実施され、変形等が生じた場合であっても、係止部１９及び係止部３６によりキャップ部７Ａ，７Ｂの回転が規制されるため、キャップ部７Ａ，７Ｂが本体部３から外れることを防止できる。
【００３９】
また、医療用容器１では、高圧蒸気滅菌処理の際、蒸気が結露して雄ねじ部１３及び雌ねじ部３４に水が入り込むことがあり、その水を抜く必要がある。そこで、医療用容器１では、雄ねじ部１３を分断するように水抜き部１５ａ，１５ｂを設けている。これにより、医療用容器１では、水抜き部１５ａ，１５ｂを介して雄ねじ部１３及び雌ねじ部３４に入り込んだ水を抜くことができる。
【００４０】
ここで、水抜き部１５ａ，１５ｂが設けられている構成では、高圧蒸気滅菌の際、キャップ部７Ａ，７Ｂに熱が加えられると、水抜き部１５ａ，１５ｂにおいてキャップ部７Ａ，７Ｂが内側に撓んでキャップ部７Ａ，７Ｂが例えば楕円形状に変形することがある。これにより、係止部１９と係止部３６の係止状態が解除されることがある。本実施形態の医療用容器１では、水抜き部１５ａ，１５ｂに、雄ねじ部１３の高さ以上の高さを有する突起部１７ａ，１７ｂを設けている。そのため、医療用容器１では、キャップ部７Ａ，７Ｂに熱が加えられたときに、水抜き部１５ａ，１５ｂにおいて突起部１７ａ，１７ｂが雌ねじ部３４と当接するため、キャップ部７Ａ，７Ｂの変形を抑制できる。したがって、係止部１９，３６の係止状態が維持されるため、キャップ部７Ａ，７Ｂが緩むことを防止できる。
【００４１】
また、医療用容器１では、突起部１７ａ，１７ｂに傾斜面１８を形成している。この傾斜面１８は、キャップ部７Ａ，７Ｂが螺着されるときに、キャップ部７Ａ，７Ｂが回転されて突起部１７ａ，１７ｂに対して雌ねじ部３４が進入する側の一端部に形成されており、キャップ部７Ａ，７Ｂが接続部１１ａ，１１ｂに螺着されるときに回転される方向に向かって上り勾配となる面である。この傾斜面１８により、医療用容器１では、キャップ部７Ａ，７Ｂを螺着するときに、雌ねじ部３４が突起部１７ａ，１７ｂに引っ掛かることを回避できる。したがって、医療用容器１では、水抜き部１５ａ，１５ｂに突起部１７ａ，１７ｂを設けている構成であっても、キャップ部７Ａ，７Ｂを本体部３にスムーズに取り付けることができる。
【００４２】
［第２実施形態］
続いて、第２実施形態について説明する。図１０は、第２実施形態に係る医療用容器の本体部及びノズル部を示す斜視図である。図１１は、本体部及びノズル部を示す正面図である。図１２は、本体部及びノズル部を軸方向から見た図である。図１３は、図１１のＸＩＩＩ−ＸＩＩＩ線断面図である。図１４（ａ）は、図１１のＸＩＶａ−ＸＩＶａ線断面であり、図１４（ｂ）は、図１１のＸＩＶｂ−ＸＩＶｂ線断面図である。図１５は、キャップ部を示す斜視図である。図１６は、キャップ部を示す平面図である。図１７（ａ）は、図１６におけるＸＶＩＩａ−ＸＶＩＩａ線断面図であり、図１７（ｂ）は、図１６におけるＸＶＩＩｂ−ＸＶＩＩｂ線断面図である。
【００４３】
医療用容器１Ａは、本体部３Ａと、ノズル部５Ａ，５Ｂと、キャップ部５０Ａ，５０Ｂとを備えている。ノズル部５Ａ，５Ｂは、第１実施形態と同様の構成を有しているため、その説明については省略する。
【００４４】
最初に、本体部３Ａについて、図１０〜図１４を参照して説明する。本体部３Ａは、筒状の中空部材である。本体部３Ａは、例えばポリプロピレン樹脂等の材料により形成されている。本体部３Ａは、筒部９と、接続部４０ａ，４０ｂとから構成されている。筒部９と接続部４０ａ，４０ｂとは、一体に形成されている。
【００４５】
接続部４０ａ，４０ｂは、本体部３Ａの両端部に設けられており、筒部９を挟んで配置されている。接続部４０ａ，４０ｂは、キャップ部５０Ａ，５０Ｂが螺着される部分である。接続部４０ａと接続部４０ｂとは、同様の構成を有している。本実施形態では、接続部４０ａを一例に、その構成を具体的に説明する。
【００４６】
接続部４０ａは、筒部９の外径よりもその外径が大きく形成されて、筒状を成している。接続部４０ａは、雄ねじ部（第１ねじ部）４２と、係止部（第１係止部）４４とを有している。雄ねじ部４２は、接続部４０ａの外周面４０ｓに形成されている。雄ねじ部４２には、螺旋状のねじ山４３が形成されている。
【００４７】
係止部４４は、キャップ部５０Ａ，５０Ｂに設けられた係止部６２（後述）と係合する部分である。係止部４４は、雄ねじ部４２の終端側（筒部９側）に、ねじ山４３に沿って配置されている。係止部４４は、本体部３Ａにキャップ部５０Ａ，５０Ｂが螺着された状態において、係止部６２に対応する位置（一対の突起部５９ａ，５９ｂの対向方向に交差する位置）に設けられている。係止部４４とキャップ部５０Ａ，５０Ｂの係止部６２は、ラチェット機構を構成している。係止部４４は、断面が直角三角形形状を呈する複数（１０〜４０個）の山形部４５により構成されている。山形部４５は、図１４に示すように、傾斜面４５ａと、平坦面４５ｂとを有している。傾斜面４５ａは、キャップ部５０Ａ，５０Ｂが接続部４０ａ，４０ｂに螺着されるときに回転される方向に向かって上り勾配となる面である。平坦面４５ｂは、接続部４０ａの外周面４０ｓに対して略直角を成している。
【００４８】
続いて、キャップ部５０Ａ，５０Ｂについて、図１５〜図１７を参照して説明する。キャップ部５０Ａ，５０Ｂは、本体部３Ａに螺着され、ノズル部５Ａ，５Ｂを本体部３Ａとで挟持してノズル部５Ａ，５Ｂを固定する。キャップ部５０Ａとキャップ部５０Ｂとは、同様の構成を有している。本実施形態では、キャップ部５０Ａを一例に、その構成を具体的に説明する。
【００４９】
キャップ部５０Ａは、周部５２と、張出部５４とを有している。周部５２は、断面が略円形形状を呈する筒状を成している。周部５２の外周面には、周方向において所定の間隔をあけてグリップ部５２ａが設けられている。グリップ部５２ａは、キャップ部５０Ａを本体部３に螺着するときに、滑り止めとして機能する。周部５２の内周面５２ｓには、雌ねじ部（第２ねじ部）５６と、水抜き部５８ａ，５８ｂ（領域）と、突起部５９ａ，５９ｂと、係止部（第２係止部）６２とが形成されている。雌ねじ部５６には、螺旋状のねじ山５７が形成されている。
【００５０】
水抜き部５８ａ，５８ｂは、雌ねじ部５６のねじ山５７を分断するように、キャップ部５０Ａの軸方向（ねじ山５７と交差する所定の方向）に沿って設けられている。水抜き部５８ａ，５８ｂは、周部５２において、キャップ部５０Ａを軸方向から見たときに（図１６）、互いに対向する位置に一対設けられている。この水抜き部５８ａ，５８ｂにより、雌ねじ部５６は、周部５２において、水抜き部５８ａ，５８ｂを間に挟んで２つの部分に設けられている。水抜き部５８ａ，５８ｂ、周部５２の内周面５２ｓの一部である。すなわち、水抜き部５８ａ，５８ｂは、雌ねじ部５６のねじ山５７が形成されていない部分である。水抜き部５８ａ，５８ｂの幅（周部５２の周方向における雌ねじ部５６の間の距離）は、例えば５〜２５ｍｍ程度とされている。
【００５１】
突起部５９ａ，５９ｂは、水抜き部５８ａ，５８ｂにそれぞれ配置されている。突起部５９ａ，５９ｂは、水抜き部５８ａ，５８ｂからねじ山５７の高さ方向（キャップ部５０Ａの径方向）に突出している。突起部５９ａ，５９ｂは、水抜き部５８ａ，５８ｂにおいて、雌ねじ部５６の端部から所定の間隔をあけて、水抜き部５８ａ，５８ｂの略中央部に配置されている。突起部５９ａ，５９ｂは、キャップ部５０Ａの径方向から見て、略矩形形状を呈している。突起部５９ａ，５９ｂの高さは、雌ねじ部５６のねじ山５７の高さ以上とされている。
【００５２】
突起部５９ａは、傾斜面６０を有している。傾斜面６０は、突起部５９ａにおいて、周部５２の周方向での一端部（角部）に、キャップ部５０Ａの軸方向に沿って形成されている。具体的には、傾斜面６０は、キャップ部５０Ａ，５０Ｂが螺着されるときに、キャップ部５０Ａ，５０Ｂが回転されて突起部５９ａ，５９ｂに対して雄ねじ部４２が進入する側の一端部に形成されている。傾斜面６０は、キャップ部５０Ａ，５０Ｂが接続部４０ａ，４０ｂに螺着されるときに回転される方向に向かって下り勾配となる面である。突起部５９ｂは、突起部５９ａと同様に、傾斜面６０を有している。
【００５３】
係止部６２は、本体部３Ａの接続部４０ａ，４０ｂに設けられた係止部４４（山形部４５）と係合する部分である。係止部６２は、雌ねじ部５６の始端側に、ねじ山５７に沿って配置されている。係止部６２は、キャップ部５０Ａの軸方向から見て、突起部５９ａ，５９ｂ（水抜き部５８ａ，５８ｂ）の対向方向に交差する位置に配置されている。係止部６２は、略直角三角形形状を呈する複数（３〜１０個）の山形部６３により構成されている。山形部６３は、図１６に示すように、傾斜面６３ａと、平坦面６３ｂとを有している。傾斜面６３ａは、キャップ部５０Ａ，５０Ｂが接続部４０ａ，４０ｂに螺着されるときに回転する方向に向かって下り勾配となる面である。平坦面６３ｂは、周部５２の内周面５２ｓに対して略垂直を成している。係止部４４の山形部４５と係止部６２の山形部６３との数の比率（山形部６３／山形部４５）は、０．２〜０．５（１／５〜１／２）である。
【００５４】
医療用容器１Ａでは、本体部３Ａ（接続部４０ａ，４０ｂ）とキャップ部５０Ａ，５０Ｂとが螺着されるとき、キャップ部５０Ａ，５０Ｂが所定の位置まで回転されると、接続部４０ａ，４０ｂの係止部４４とキャップ部５０Ａ，５０Ｂの係止部６２とが噛み合い係合する。具体的には、医療用容器１Ａでは、キャップ部５０Ａ，５０Ｂの係止部６２における山形部６３の傾斜面６３ａが、接続部４０ａ，４０ｂの係止部４４における山形部４５の傾斜面４５ａを乗り越える。これにより、係止部４４と係止部６２とでは、平坦面４５ｂと平坦面６３ｂとが係合する。これにより、キャップ部５０Ａ，５０Ｂは、外れる方向への回転が規制される。
【００５５】
張出部５４は、周部５２の上部から内側に張り出している。張出部５４は、開口部６４を画成している。開口部６４は、ノズル部５Ａ，５Ｂのノズル本体２４及び外筒部２６を挿通する。張出部５４は、ノズル部５Ａ，５Ｂのフランジ部２３を本体部３Ａの端面３Ａａとの間で挟持して固定し、ノズル部５Ａ，５Ｂが本体部３Ａから外れることを防止する。
【００５６】
以上説明したように、本実施形態の医療用容器１Ａでは、本体部３Ａ及びキャップ部５０Ａ，５０Ｂには、キャップ部５０Ａ，５０Ｂが本体部３Ａに螺着された所定の位置でキャップ部５０Ａ，５０Ｂが外れる方向への回転を互いに規制する係止部４４及び係止部６２がそれぞれ設けられている。これにより、医療用容器１Ａでは、キャップ部５０Ａ，５０Ｂが本体部３Ａに螺着された状態で高圧蒸気滅菌処理が実施された場合でも、係止部４４及び係止部６２によりキャップ部５０Ａ，５０Ｂの回転が規制されるため、キャップ部５０Ａ，５０Ｂが本体部３Ａから外れることを防止できる。
【００５７】
また、医療用容器１Ａでは、高圧蒸気滅菌処理の際、蒸気が結露して雄ねじ部４２及び雌ねじ部５６に水が入り込むことがあり、その水を抜く必要がある。そこで、医療用容器１Ａでは、雌ねじ部５６を分断するように水抜き部５８ａ，５８ｂを設けている。これにより、医療用容器１Ａでは、水抜き部５８ａ，５８ｂを介して雄ねじ部４２及び雌ねじ部５６に入り込んだ水を抜くことができる。
【００５８】
ここで、水抜き部５８ａ，５８ｂが設けられている構成では、高圧蒸気滅菌の際、キャップ部５０Ａ，５０Ｂに熱が加えられると、水抜き部５８ａ，５８ｂにおいてキャップ部５０Ａ，５０Ｂが内側に撓んでキャップ部５０Ａ，５０Ｂが例えば楕円形状に変形することがある。これにより、係止部４４と係止部６２の係止状態が解除されることがある。本実施形態の医療用容器１Ａでは、水抜き部５８ａ，５８ｂに、雌ねじ部５６の高さ以上の高さを有する突起部５９ａ，５９ｂを設けている。そのため、医療用容器１Ａでは、キャップ部５０Ａ，５０Ｂに熱が加えられたときに、水抜き部５８ａ，５８ｂにおいて突起部５９ａ，５９ｂが雄ねじ部４２と当接するため、キャップ部５０Ａ，５０Ｂの変形を抑制できる。したがって、係止部４４，６２の係止状態が維持されるため、キャップ部５０Ａ，５０Ｂが緩むことを防止できる。
【００５９】
また、医療用容器１Ａでは、突起部５９ａ，５９ｂに傾斜面６０を形成している。この傾斜面６０は、キャップ部５０Ａ，５０Ｂが螺着されるときに、キャップ部５０Ａ，５０Ｂが回転されて突起部５９ａ，５９ｂに対して雄ねじ部４２が進入する側の一端部に形成されており、キャップ部５０Ａ，５０Ｂが接続部４０ａ，４０ｂに螺着されるときに回転される方向に向かって下り勾配となる面である。この傾斜面６０により、医療用容器１Ａでは、キャップ部５０Ａ，５０Ｂを螺着するときに、雄ねじ部４２が突起部５９ａ，５９ｂに引っ掛かることを回避できる。したがって、医療用容器１Ａでは、水抜き部５８ａ，５８ｂに突起部５９ａ，５９ｂを設けている構成であっても、キャップ部５０Ａ，５０Ｂを本体部３Ａにスムーズに取り付けることができる。
【００６０】
本発明は、上記実施形態に限定されるものではなく、その要旨を逸脱しない範囲で様々な変形が可能である。例えば、上記実施形態では、医療用容器１，１Ａを血漿吸着器に用いることを一例に説明したが、医療用容器１，１Ａは、その他の医療用の機器に用いられてもよい。
【符号の説明】
【００６１】
１，１Ａ…医療用容器、３，３Ａ…本体部、７Ａ，７Ｂ，５０Ａ，５０Ｂ…キャップ部、１３，４２…雄ねじ部（第１ねじ部）、１４，４３…ねじ山、１５ａ，１５ｂ，５８ａ，５８ｂ…水抜き部（領域）、１７ａ，１７ｂ，５９ａ，５９ｂ…突起部、１９，４４…係止部（第１係止部）、３６，６２…係止部（第２係止部）。
【図１】
2014108280.tif 000003
【図２】
2014108280.tif 000004
【図３】
2014108280.tif 000005
【図４】
2014108280.tif 000006
【図５】
2014108280.tif 000007
【図６】
2014108280.tif 000008
【図７】
2014108280.tif 000009
【図８】
2014108280.tif 000010
【図９】
2014108280.tif 000011
【図１０】
2014108280.tif 000012
【図１１】
2014108280.tif 000013
【図１２】
2014108280.tif 000014
【図１３】
2014108280.tif 000015
【図１４】
2014108280.tif 000016
【図１５】
2014108280.tif 000017
【図１６】
2014108280.tif 000018
【図１７】
2014108280.tif 000019